(57)【特許請求の範囲】
【請求項１】
リフレクタと、該リフレクタ中に固定された光源と、該光源から発した光を透過させる光透過窓と、金属メッシュを介して前記光源を冷却する冷却風が流入される流入口と、前記金属メッシュを２００℃以上の温度に加熱する加熱手段を具備し、電気機器に組み込まれて使用されるランプユニットであって、
前記光透過窓の法線は前記ランプユニットが発する光の光軸から傾いて設置され、前記加熱手段は、前記光透過窓からの反射光が前記リフレクタに照射される箇所の発熱を利用することを特徴とするランプユニット。
【請求項２】
前記反射光が前記リフレクタに照射される箇所に隣接されたターゲットを介して前記金属メッシュに熱が伝導されることを特徴とする請求項１に記載のランプユニット。
【請求項３】
前記金属メッシュに発熱線が設けられていることを特徴とする請求項１又は２に記載のランプユニット。
【請求項４】
金属メッシュを介して前記冷却風が流出される流出口を更に具備することを特徴とする請求項１から請求項３までのいずれか１項に記載のランプユニット。
【請求項５】
前記流出口における金属メッシュの開口は、前記流入口における金属メッシュの開口よりも小さいことを特徴とする請求項４に記載のランプユニット。
【請求項６】
請求項１から請求項５までのいずれか１項に記載のランプユニットが組み込まれ、前記冷却風を生成する空冷手段を具備することを特徴とする電気機器。
【請求項７】
前記電気機器はプロジェクタであることを特徴とする請求項６に記載の電気機器。
【請求項８】
請求項６に記載の電気機器の駆動方法であって、
一時的に前記冷却風の生成を停止する冷却停止期間を設けることを特徴とする電気機器の駆動方法。
【請求項９】
前記冷却停止期間を定期的に設けることを特徴とする請求項８に記載の電気機器の駆動方法。
【請求項１０】
前記電気機器の起動時および／または切断時に前記冷却停止期間を設けることを特徴とする請求項８に記載の電気機器の駆動方法。
【発明の詳細な説明】
【技術分野】
【０００１】
本発明は、プロジェクタ等の機器に組み込まれて用いられ、利用者が容易に交換を行うことのできる、光源を内部に有するランプユニットに関する。また、このランプユニットが用いられる電気機器、及びその駆動方法に関する。
【背景技術】
【０００２】
プロジェクタ等の表示用機器には、発光強度の高い光源として、例えば水銀ランプ等が用いられる。水銀ランプは、ガラス管内に電極が設けられ、高圧の水銀蒸気が封入された構造となっている。この水銀ランプは使用時に発熱し、温度上昇が著しい場合にはガラス管が割れることがある。従って、プロジェクタの使用中には水銀ランプを冷却することが不可欠である。このためには、冷却風が水銀ランプまで送られる構造が採用されている。
【０００３】
一方、水銀ランプの発光強度は様々な原因により使用している間に低下するため、水銀ランプは消耗品となる。従って、上記の通りにガラス管が割れた場合のみならず、定期的に交換が必要となる。この交換は使用者によって行われるため、この交換作業がやりやすい形態となったランプユニットの形態をとる。ランプユニットにおいては、水銀ランプ、リフレクタ、ガラス窓（光透過窓）等が一体となっており、利用者は直接水銀ランプに触れることなく、この交換作業を容易に行うことができる。
【０００４】
ランプユニットが組み込まれるプロジェクタには空冷ファンが設けられている。このランプユニットにおいては、前記の通り、水銀ランプに空冷ファンから生じた冷却風が効率よく当たり、充分な冷却が行われる構造が採用されている。一方で、前記の通り、水銀ランプのガラス管が割れることがある。この場合、利用者によるランプユニットの交換の際にガラス片が飛散することがあると、危険である。従って、冷却風を効率よく導入し、かつガラス片がランプユニットの外部に飛散しにくい構造が提案されている。
【０００５】
例えば、特許文献１には、冷却風は効率よく水銀ランプに送られるが、ガラス片は外部に飛散しにくい形状の障壁をランプユニットとプロジェクタにおけるランプユニット取付部との間に設けた構造が記載されている。
【０００６】
特許文献２、３、４には、ランプユニットにおける通気用の窓に開閉機構を設け、ランプユニットがプロジェクタに取り付けられた場合にこの窓が開き、ランプユニットが取り外された場合にはこの窓が閉じる構造が記載されている。
【０００７】
特許文献５、６には、通気用の窓にメッシュを設けることによって通気性の確保とガラス片の飛散の防止を両立させた構造が記載されている。ここで、メッシュはガラス片や埃によって目詰まりしやすいため、特許文献５に記載の技術では、金属メッシュ（通気用の窓）へのガラス片の飛散を防止する構造の保護壁を設けている。特許文献６に記載の技術では、メッシュに冷却風を送る通気部にエアフィルターを設け、特にメッシュへの埃の付着を抑制している。
【０００８】
これらの技術によって、利用者による交換作業が安全かつ容易で、かつ水銀ランプの冷却効率が高いランプユニットが得られた。これを用いたプロジェクタを安全に使用することができた。
【特許文献１】特開平８−３１４０１１号公報
【特許文献２】特開平１１−２３７６９１号公報
【特許文献３】特開平１１−３２９０１５号公報
【特許文献４】特開２００１−３３０８９０号公報
【特許文献５】ＷＯ２００４−７４９２７号公報
【特許文献６】特開２００６−１１３３７号公報
【発明の開示】
【発明が解決しようとする課題】
【０００９】
しかしながら、上記の特許文献１〜４に記載の技術においては、冷却効率は高くなるものの、以下に示すように、ガラス片の飛散は充分に防止されない。
【００１０】
特許文献１に記載の技術においては、ランプユニットにおける排気側の窓からの飛散は防止されるが、ガラス片は吸気側の窓からも飛散することがあり、これに対しては対処できない。仮に吸気側にも障壁を設けた場合には冷却効率は低下する。
【００１１】
特許文献２、３、４に記載の技術においては、冷却効率は確保でき、ランプユニットを取り外した後でガラス片が飛散することは防止できる。しかしながら、ランプユニットが取り付けられている間は窓が開いた状態であるため、その間にガラス管が割れた場合には、この窓からの飛散を防止することはできない。
【００１２】
一方、窓にメッシュを設けた特許文献５、６に記載の技術においては、特に大きなガラス片の飛散が防止されるため、利用者によるランプユニットの交換の際の安全性は充分に確保される。しかしながら、以下に示すように、その冷却効率は充分ではない。
【００１３】
特許文献５に記載の技術においては、ガラス片のメッシュへの飛散は防止される。しかしながら、この場合の飛散はメッシュから見て冷却風の下流側からとなる。従って、元々吸気側のメッシュに大きなガラス片が吸い寄せられることは少なく、実際にメッシュの通気に悪影響を与えるのは、メッシュから見て通気の上流側から吸い寄せられる埃である。この埃に対してはこの構造は全く効果がなく、これによってメッシュが目詰まりし冷却効率が低下することがある。
【００１４】
特許文献６に記載の技術においては、特にメッシュに埃が付着することが抑制される。しかしながら、エアフィルターの存在により、冷却効率は低下し、エアフィルターがない場合と同じ冷却効率を得るためには冷却ファンの消費電力は大きくなる。また、エアフィルターが目詰まりした場合には冷却効率が低下し、その交換作業が必要となる。
【００１５】
従って、ガラス片の飛散を防止した上で充分な冷却効率を確保したランプユニットを得ることは困難であった。
【００１６】
本発明は、斯かる問題点に鑑みてなされたものであり、上記問題点を解決する発明を提供することを目的とする。
【課題を解決するための手段】
【００１７】
本発明は、上記課題を解決すべく、以下に掲げる構成とした。
本発明のランプユニットは、リフレクタと、該リフレクタ中に固定された光源と、該光源から発した光を透過させる光透過窓と、金属メッシュを介して前記光源を冷却する冷却風が流入される流入口と、前記金属メッシュを２００℃以上の温度に加熱する加熱手段を具備し、電気機器に組み込まれて使用されるランプユニットであって、前記光透過窓の法線は前記ランプユニットが発する光の光軸から傾いて設置され、前記加熱手段は、前記光透過窓からの反射光が前記リフレクタに照射される箇所の発熱を利用することを特徴とする。
本発明のランプユニットにおいて、前記反射光が前記リフレクタに照射される箇所に隣接されたターゲットを介して前記金属メッシュに熱が伝導されることを特徴とする。
本発明のランプユニットにおいて、前記金属メッシュに発熱線が設けられていることを特徴とする。
本発明のランプユニットは、金属メッシュを介して前記冷却風が流出される流出口を更に具備することを特徴とする。
本発明のランプユニットにおいて、前記流出口における金属メッシュの開口は、前記流入口における金属メッシュの開口よりも大きいことを特徴とする。
本発明の電気機器は、前記ランプユニットが組み込まれ、前記冷却風を生成する空冷手段を具備することを特徴とする。
本発明の電気機器は、プロジェクタであることを特徴とする。
本発明の電気機器の駆動方法は、前記電気機器の駆動方法であって、一時的に前記冷却風の生成を停止する冷却停止期間を設けることを特徴とする。
本発明の電気機器の駆動方法は、前記冷却停止期間を定期的に設けることを特徴とする。
本発明の電気機器の駆動方法は、前記電気機器の起動時および／または切断時に前記冷却停止期間を設けることを特徴とする。
【発明の効果】
【００１８】
本発明は以上のように構成されているので、ガラス片の飛散を防止すると共に、充分な冷却効率を確保したランプユニットを得ることができる。
【発明を実施するための最良の形態】
【００１９】
以下、本発明を実施するための最良の形態について説明する。以下に説明する実施の形態におけるランプユニットは、電気機器、例えばプロジェクタに組み込まれて使用され、リフレクタ中に固定された光源から発した光を光透過窓から発する。このプロジェクタはランプユニットにおける光源を冷却する冷却風を発生させる空冷手段を有する。このランプユニットにおいては、この冷却風を流入させる流入口には金属メッシュが設けられている。この金属メッシュには、その温度を上昇させるための加熱手段が設けられており、これによって、通気の障害となる細かな埃が効率よく除去される。この際、この加熱手段によって金属メッシュの温度は２００℃以上とされる。
【００２０】
（第１の実施の形態）
本発明の第１の実施の形態であるランプユニット１の断面の模式図が図１である。このランプユニット１において光源となる水銀ランプ１１から発した光は、図中の破線で示されるようにその周囲のリフレクタ１２の内面で反射し、ランプ蓋部２０中に設けられた光透過窓２１から光軸１３の方向に出射する。この光は、このランプユニット１が組み込まれて使用されるプロジェクタの光学系（図示せず）に入射し、その映像出力を生成するために用いられる。なお、図１における断面は、出射される光軸１３の方向に沿った断面である。水銀ランプ１１はリフレクタ１２中でランプ支柱１４によって固定され、ランプ蓋部２０とリフレクタ１２も固定されている。
【００２１】
ランプ蓋部２０は、光透過窓２１と、伝熱部２２、光透過窓支持部２３とから構成される。また、ランプ蓋部２０の図１中における上側には流入口２４が、下側には流出口２５が設けられている。
【００２２】
光透過窓２１は、プロジェクタで用いられる可視光を透過させ、赤外光や紫外光を反射させる材料、例えば、入射面側に多層膜フィルターを付加することで構成される。伝熱部２２は、熱伝導率の高い金属、例えばアルミニウム材で構成される。光透過窓支持部２３は、熱伝導率が低い、例えばセラミック、プラスチック材で構成される。なお、光透過窓２１は、図１に示されるように、その法線が光軸から傾いた角度で設置されている。これは、光透過窓２１に入射した光のうち、その表面で反射した成分が水銀ランプ１１に戻り、更にその加熱を促進することを抑制するためである。
【００２３】
また、このランプユニット１の上面図を図２、底面図を図３に示す。ランプ蓋部２０の上面（図２）においては、伝熱部２２において流入口２４が設けられており、底面（図３）においては、伝熱部２２において流出口２５が設けられている。このランプユニット１がプロジェクタに組み込まれた際には、プロジェクタに設けられた空冷手段（例えば冷却ファン）によって発生した冷却風が流入口２４から流入され、流出口２５から流出される。これによって、水銀ランプ１１は冷却される。ここで、流入口２４と流出口２５には金属メッシュが形成されている。例えばこの金属メッシュの開口は１．８ｍｍ程度と設定することができ、これ以上の大きさの物体はこれを透過することができない。
【００２４】
従って、流入口２４と流出口２５には金属メッシュが設けられているために、水銀ランプ１１のガラス管が割れた場合でも、ガラス片がこのランプユニット１の外部に出ることは防止される。従って、利用者はこのランプユニット１の交換を安全に行うことができる。
【００２５】
ここで、特に金属メッシュの開口が小さい場合には、より細かなガラス片の飛散を防止できる反面、特に流入口２４においては、埃によって目詰まりが発生する可能性が高くなる。この場合、冷却効率は低下する。
【００２６】
これに対して、このランプユニット１においては、金属メッシュの温度を上昇させてこの埃を除去する加熱手段として、水銀ランプ１１から、リフレクタ１２、伝熱部２２を介して伝達する熱を利用する。すなわち、水銀ランプ１１によるリフレクタ１２の温度上昇を利用する。このため、伝熱部２２の材料を熱伝導率の高い金属として、金属メッシュとリフレクタ１２とに熱的に接触させ、これらの間の熱伝導を高くすることにより、リフレクタ１２の温度近くまで金属メッシュの温度を上昇させる。一方、光透過窓２１の温度上昇が大きいと、光透過窓２１が割れることがあるため、光透過窓２１への熱伝導を抑制するため、光透過窓２１が固定される光透過窓支持部２３の材料の熱伝導率を低くしている。
【００２７】
リフレクタ１２には水銀ランプ１１が発した光の大部分が入射し、これを反射する。従って、その表面温度は高くなる。ランプユニット１が実際に使用される際のリフレクタ１２の温度としては、例えば水銀ランプ１１の出力が２７５Ｗ程度である場合、２００〜５００℃程度になる。一方、金属メッシュに付着した埃は、空気中に浮遊している埃であり、２００℃程度の温度で焼却され、除去される。従って、上記の構造によって金属メッシュの温度が２００℃以上になれば、埃による金属メッシュの目詰まりは防止される。
【００２８】
一方、金属メッシュが高温となれば、これを通過する冷却風も高温となり、冷却効率が低下することが考えられる。しかしながら、例えば、冷却風の流量を０．２ｍ３／ｍｉｎ、空気の温度を４０℃、空気の密度を１．０ｋｇ／ｍ３、空気の定圧比熱を１０００Ｊ／ｋｇ・Ｋとし、流入口２４（金属メッシュ）の発熱量を２０Ｗとした場合、金属メッシュを透過した際の空気（冷却風）の温度上昇は６℃となる。水銀ランプ１１の発光時の温度は７００〜９００℃であるため、この温度上昇は無視できる。従って、金属メッシュが高温となることによる冷却効率の低下は無視できる。一方、リフレクタ１２から金属メッシュまでの熱伝導を良好にして金属メッシュの温度を上昇させている分、リフレクタ１２の温度は低下する。従って、リフレクタ１２を介した水銀ランプ１１の放熱は促進される。従って、この構造によって水銀ランプ１１の冷却効率が劣化することはない。
【００２９】
なお、流入口２４の金属メッシュを通過した埃は高温となるリフレクタ１２内で燃焼する可能性が高いため、この埃が流出口２５の金属メッシュを目詰まりさせる可能性は低い。従って、金属メッシュを加熱する加熱手段は、流入口２４側の金属メッシュに対してのみ設けることができる。また、流出口２５側の金属メッシュの開口を流入口２４側の金属メッシュの開口より小さくしてもよい。
【００３０】
従って、このランプユニット１においては、ガラス片の飛散が防止され、充分な冷却効率が確保される。これを用いたプロジェクタについても同様である。
【００３１】
しかも、ここで用いられる加熱手段の熱源として、水銀ランプ１１自身の発熱が利用されるため、これにより消費電力が大きくなることもない。従って、消費電力を大きくすることなく充分な冷却効率が確保される。
【００３２】
なお、空冷手段を停止することによって、水銀ランプ１１の冷却効率は低下するが、金属メッシュの加熱を更に効率的に行うことができる。このため、空冷手段を一定時間だけ停止する冷却停止期間を設けることにより、より効率的に埃を除去することもできる。この冷却停止期間は、例えばプロジェクタの動作中に一定間隔で設定することができる。また、冷却停止期間は任意のタイミングで設定できるが、プロジェクタの切断時には特にリフレクタ１２の温度は上昇しているため、この際に空冷手段を停止すれば、特に金属メッシュの温度を高くすることができる。この場合は、切断時には初めに空冷手段を停止させ、一定時間経過後に水銀ランプ１１への電力供給を停止すればよい。
【００３３】
（第２の実施の形態）
本発明の第２の実施の形態であるランプユニット３０の断面の模式図が図４であり、その上面図が図５、底面図が図６である。このランプユニット３０における水銀ランプ３１、リフレクタ３２、光軸３３、ランプ支柱３４、ランプ蓋部４０については第１の実施の形態と同様である。また、ランプ蓋部４０における光透過窓４１、伝熱部４２、光透過窓支持部４３、流入口４４、流出口４５についても同様であり、流入口４４、流出口４５に金属メッシュが設けられる点についても同様である。ただし、ここでは、伝熱部４２には金属製のターゲット３５が接続されている。リフレクタ３２に照射される箇所にこのターゲット３５は隣接され、これを介して特に金属メッシュまでの熱伝導が促進される。
【００３４】
図４に示されるように、水銀ランプ３１が発する光の成分のうち、プロジェクタで用いられる可視光は、光透過窓４１を通り、点Ｍで集光されてからプロジェクタの光学系に入射する。一方、水銀ランプ３１が発する光の成分のうち、可視光以外の成分、例えば紫外光や赤外光は光透過窓４１の表面で反射する。図４に示されるように、光透過窓４１は光軸に対して傾いて設置されているため、反射した光は、水銀ランプ３１からはずれた箇所のリフレクタ３２の表面に入射し、この箇所を加熱する。従って、この箇所にターゲット３５を設置すれば、その温度が上昇する。あるいは、反射した光透過窓４１の表面で反射した光のうち、例えば赤外光の一部はリフレクタ３２も透過するが、これもリフレクタ３２の表面が受けることにより、熱に転換される。従って、ターゲット３５によって、光透過窓４１の表面で反射した光が効率的に熱に転換され、その発熱をより効率的に流入口４４における金属メッシュに伝達させることができる。すなわち、このランプユニット３０においては、光透過窓４１からの反射光がリフレクタ３２に照射される箇所の発熱を加熱手段に利用している。
【００３５】
従って、このランプユニット３０においても、ガラス片の飛散が防止され、充分な冷却効率が確保される。これを用いたプロジェクタについても同様である。
【００３６】
また、ここで用いられる加熱手段の熱源としても、水銀ランプ３１自身からの発光又は発熱が利用されるため、これにより消費電力が大きくなることもない。
【００３７】
また、水銀ランプ３１からの発熱は、リフレクタ３２を介して金属メッシュまで効率よく伝達されるため、水銀ランプ３１からの放熱は促進される。
【００３８】
なお、光透過窓４１の設置角度及び流入口４４の位置を調整することにより、光透過窓４１からの反射光を直接金属メッシュに照射させることも可能である。この場合は、ターゲット３５は不要である。ただし、特に金属メッシュの間隔が大きな場合には、金属メッシュ自身で反射光を吸収する効率が低くなるため、ターゲット３５を用いることが好ましい。
【００３９】
また、第１の実施の形態と同様に、冷却停止期間を設けることにより、更に埃を除去する効率を高くすることもできる。
【００４０】
（第３の実施の形態）
本発明の第３の実施の形態であるランプユニット５０の断面の模式図が図７、上面図が図８、底面図が図９である。このランプユニット５０にける水銀ランプ５１、リフレクタ５２、水銀ランプ支柱５４、光透過窓６１については第１、第２の実施の形態と同様である。
【００４１】
ランプ蓋部６０は、光透過窓６１と、ランプ蓋部本体６６とから構成される。ランプ蓋部６０の上面（図８）においては、ランプ蓋部本体６６において流入口６４が設けられており、底面（図９）においては、ランプ蓋部本体６６において流出口６５が設けられている。流入口６４、流出口６５の機能も第１、第２の実施の形態と同様である。ここで、ランプ蓋部本体の材質としては、第１の実施の形態における光透過窓支持部２３と同様に熱伝導率の低い材料、例えばセラミック、プラスチック材が用いられる。
【００４２】
ここで、このランプユニット５０における加熱手段としては、電気式加熱手段が用いられ、流入口６４における金属メッシュにはニクロム線（発熱線）６８が設置される。図８における端子ＡＢ間に電流を流すことにより、このニクロム線が加熱され、金属メッシュが加熱される。これにより、金属メッシュに付着した埃は除去される。
【００４３】
従って、このランプユニット５０においても、ガラス片の飛散が防止され、充分な冷却効率が確保される。
【００４４】
ここでは、流入口６４における金属メッシュのみを効率よく加熱するために、ランプ蓋部本体６６の熱伝導率を小さくし、かつ光透過窓６１の加熱を抑制している。また、図７〜９においては、ニクロム線６８は流入口６４にのみ設け、流出口６５には設けていないが、流出口６５にも設けてもよい。また、第１の実施の形態と同様に、流出口６５側の金属メッシュの開口を流入口６４側の金属メッシュの開口より広くしてもよい。
【００４５】
第１、第２の実施の形態においては、水銀ランプ自身が発熱手段における熱源として用いられていたため、水銀ランプの駆動時には少なくとも流入口における金属メッシュは常に高温となっていた。これに対して、このランプユニット５０においては、水銀ランプ５１は熱源とはなっていないため、金属メッシュを高温とするタイミングを任意に設定できる。
【００４６】
従って、第１、第２の実施の形態と同様に、冷却停止期間を設け、この冷却停止期間においてニクロム線６８に電流を流すことにより、特に効率的に埃の除去を行うことができる。
【００４７】
このタイミングは任意であるが、例えばプロジェクタの動作中において一定周期でこれを行うことができる。第１の実施の形態と同様に、プロジェクタの切断時にこれを行うこともできる。また、第３の実施の形態においては発熱源は水銀ランプ５１ではなく、ニクロム線６８となるため、プロジェクタの起動時に冷却停止期間を設け、ニクロム線６８に電流を流すことにより、金属メッシュを高温にし、効率的に埃を除去することもできる。あるいは、冷却停止期間とは別に、ニクロム線６８に通電する期間を別に設定してもよい。
【００４８】
また、第１、第２の実施の形態においては、専ら水銀ランプによる発熱を熱源として用いていたのに対し、このランプユニット５０においては、その発熱量はニクロム線６８に流す電流によって自在に制御できる。例えば、プロジェクタが埃の少ない環境下にある場合には、発熱手段を駆動させず、埃の多い環境下にある場合にのみ発熱手段を駆動させたり、電流値を環境によって変えるという制御も可能である。
【００４９】
なお、上記の第１または第２の実施の形態と第３の実施の形態とを組み合わせて用いることもできる。この場合は埃の除去能力は更に高くなる。
【００５０】
また、上記の例では、光源として水銀ランプを用いた場合につき説明したが、これに限られるものではなく、交換可能な光源であれば、同様にこのランプユニット内に設置して用いることができることは明らかである。
【００５１】
また、上記の例では、このランプユニットが組み込まれる機器がプロジェクタである場合につき説明したが、これに限られるものではなく、同様に交換可能なランプユニットが用いられる機器に対して本願発明のプロジェクタ及び冷却方法が適用できることは明らかである。
【図面の簡単な説明】
【００５２】
【図１】本発明の第１の実施の形態となるランプユニットの断面図である。
【図２】本発明の第１の実施の形態となるランプユニットの上面図である。
【図３】本発明の第１の実施の形態となるランプユニットの底面図である。
【図４】本発明の第２の実施の形態となるランプユニットの断面図である。
【図５】本発明の第２の実施の形態となるランプユニットの上面図である。
【図６】本発明の第２の実施の形態となるランプユニットの底面図である。
【図７】本発明の第３の実施の形態となるランプユニットの断面図である。
【図８】本発明の第３の実施の形態となるランプユニットの上面図である。
【図９】本発明の第３の実施の形態となるランプユニットの底面図である。
【符号の説明】
【００５３】
１、３０、５０  ランプユニット
１１、３１、５１  水銀ランプ
１２、３２、５２  リフレクタ
１３、３３  光軸
１４、３４、５４  ランプ支柱
２０、４０、６０  ランプ蓋部
２１、４１、６１  光透過窓
２２、４２  伝熱部
２３、４３  光透過窓支持部
２４、４４、６４  流入口
２５、４５、６５  流出口
３５  ターゲット
６６  ランプ蓋部本体
６８  ニクロム線（発熱線）
【図１】
0004801019.tif 000002
【図２】
0004801019.tif 000003
【図３】
0004801019.tif 000004
【図４】
0004801019.tif 000005
【図５】
0004801019.tif 000006
【図６】
0004801019.tif 000007
【図７】
0004801019.tif 000008
【図８】
0004801019.tif 000009
【図９】
0004801019.tif 000010